(57)【要約】【課題】ネットワーク制御の権限の一部をユーザに移管し、ＧＭＰＬＳと光クロスコネクト技術をベースとした各種パストンネリングサービスを顧客に対して提供可能とする。【解決手段】複数種類の終端インタフェースを有するノードで、終端インタフェースの状態を管理するルーティング処理機能部で行うノード制御方法において、ルーティング処理機能部は、自ノードのスイッチング能力に関する情報と終端インタフェース属性情報の少なくとも一方を他ノードに広告し、広告する情報にユーザごとに制限を加えるようにフィルタリングし、その情報をユーザごとに通知する処理を行う。【選択図】        図２
2004180067.tif 000002
【特許請求の範囲】
【請求項１】
複数種類の終端インタフェースを有するノードで、終端インタフェースの状態を管理するルーティング処理機能部で行うノード制御方法において、
前記ルーティング処理機能部は、
自ノードのスイッチング能力に関する情報と終端インタフェース属性情報の少なくとも一方を他ノードに広告し、
前記広告する情報にユーザごとに制限を加えるようにフィルタリングし、その情報をユーザごとに通知する
ことを特徴とするノード制御方法。
【請求項２】
複数種類の終端インタフェースを有するノードで、終端インタフェースの状態を管理するルーティング処理機能部を備えたノード制御装置において、
前記ルーティング処理機能部は、
隣接ノードから通知されるスイッチング能力に関する情報と終端インタフェース属性情報の少なくとも一方を受信する受信機能部と、
前記受信した終端インタフェース属性情報に、自ノードの終端インタフェース属性情報を追加するフラッディング処理部と、
前記フラッディング処理部に蓄積されたスイッチング能力に関する情報と終端インタフェース属性情報の少なくとも一方を、出力方路ごとにフィルタリングするフィルタリング処理部と、
前記フィルタリングされたスイッチング能力に関する情報と終端インタフェース属性情報の少なくとも一方を隣接ノードに送信する送信機能部と、
ユーザごとの情報制限に応じて前記フィルタリング処理部を制御するユーザポリシ制御機能部とを備えた
ことを特徴とするノード制御装置。
【請求項３】
請求項２に記載のノード制御装置において、
前記終端インタフェース属性情報に、前記ノードで終端可能な光パスのインタフェース種別情報およびインタフェース数情報が含まれることを特徴とするノード制御装置。
【発明の詳細な説明】
【０００１】
【発明の属する技術分野】
本発明は、大容量光パスネットワークのルーティング処理を行う光パス切替装置（例えば光ルータ）などに用いるノード制御方法およびノード制御装置に関する。
【０００２】
【従来の技術】
高信頼光スイッチをベースとした光クロスコネクト技術により、様々な種類のネットワークサービスを提供する光ネットワークプラットフォームの構築が可能になっている。このような光ネットワークプラットフォームの構築を支えるのが、光スイッチとＩＰスイッチまたはＳＤＨクロスコネクタを統合したマルチレイヤルータである（非特許文献１）。このマルチレイヤルータは、図９に示すように、光スイッチ（波長ルーティングユニット（ＬＲＵ））５１に、ＭＰＬＳ（Ｍｕｌｔｉ−Ｐｒｏｔｏｃｏｌ  Ｌａｂｅｌ  Ｓｗｉｔｃｈｉｎｇ）による光パス設定・切替を行うパケットスイッチ（ＭＰＬＳルータ）５２を加え、さらにそれらの連携制御を行うノード制御装置５３を備え、ＩＰトラヒックだけでなく、Ｅｔｈｅｒ−パス、ＳＤＨ−パス、光パスなどの複数のパスをトンネリングさせることが可能になっている。
【０００３】
ここで、Ｅｔｈｅｒ−パスとは、Ｅｔｈｅｒ  ｏｖｅｒ  ＭＰＬＳ  技術で実現されるものであり、顧客の  Ｅｔｈｅｒフレームトラヒックをそのままトンネリングするコネクションである。コネクションの帯域幅の典型値は１０Ｍｂｉｔ／ｓ  と１００  Ｍｂｉｔ／ｓ  である。ＳＤＨ−パスとは、ＳＤＨフレームのペイロードに相当するＶＣ−３またはＶＣ−４をトンネリングするもので、ＶＣ−３は５０Ｍｂｉｔ／ｓ  、ＶＣ−４は  １５０Ｍｂｉｔ／ｓ  である。一方、光パスは、ＳＤＨフレームを含め、顧客から入力されるあらゆるトラヒック情報をトンネリングするサービスである。
【０００４】
このマルチレイヤルータでは、光スイッチ５１とパケットスイッチ５２の連携機能により、そのルータを通過するＩＰパケットが収容される光パスの転送処理を光スイッチ５１で行い、そのルータで終端されるＩＰパケットが収容される光パスについてはパケットスイッチ５２に接続することにより、全体としてのＩＰパケットの転送能力を向上させ、かつパケットスイッチの負担を軽減させている。
【０００５】
このような光ネットワークプラットフォームをＧＭＰＬＳ（Ｇｅｎｅｒａｌｉｚｅｄ  ＭＰＬＳ）技術により分散制御する場合に課題となるのは、Ｅｔｈｅｒ−パス、ＳＤＨ−パス、光パスなどの様々な属性を有するパスのコネクションを確立する際のルート検索方法である。現在、ＧＭＰＬＳの標準化組織であるＩＥＴＦ（Ｉｎｔｅｒｎｅｔ  Ｅｎｇｉｎｅｅｒｉｎｇ  Ｔａｓｋ  Ｆｏｒｃｅ）  では、ＯＳＰＦ／ＩＳ−ＩＳプロトコルといったリンクステート型ルーティングプロトコルの拡張を中心に標準化が議論されている。リンクステート型ルーティングプロトコルは、全てのリンクにコストを定義し、リンクの端点にあるノード制御装置がこれらのリンク識別番号とコスト情報を他ノードに対して通知する。各ノード制御装置は、他ノードから通知されたリンク識別番号とコスト情報と、自身に接続されているリンクの情報を考慮して設定するパスのルートを検索する。ＧＭＰＬＳは、前述のルーティングプロトコルで通知しあうリンク属性情報を拡張し、各リンクが収容可能なパス種別と各リンクの終端ノードにおけるスイッチ能力を広告する機能が追加される。ここで、広告するスイッチング能力とは、「ＳＤＨ  ＶＣ−３レベルでスイッチング可能である」、「Ｅｔｈｅｒ−パスのスイッチングが可能である」等の情報である。
【０００６】
【非特許文献１】
Ｋ−Ｉ．  Ｓａｔｏ  ｅｔ  ａｌ．，”ＧＭＰＬＳ−Ｂａｓｅｄ  Ｐｈｏｔｏｎｉｃ  Ｍｕｌｔｉｌａｙｅｒ  Ｒｏｕｔｅｒ  （Ｈｉｋａｒｉ  Ｒｏｕｔｅｒ）  Ａｒｃｈｉｔｅｃｔｕｒｅ：  Ａｎ  ｏｖｅｒｖｉｅｗ  ｏｆ  ｔｒａｆｆｉｃ  ｅｎｇｉｎｅｅｒｉｎｇ  ａｎｄ  ｓｉｇｎａｌｉｎｇ  ｔｅｃｈｎｏｌｏｇｙ”，  ＩＥＥＥ  Ｃｏｍｍ．  Ｍａｇ．  Ｖｏｌ．４０，  ｐｐ．９６−１０１，  Ｍａｒｃｈ，  ２００２
【０００７】
【発明が解決しようとする課題】
ところで、ＧＭＰＬＳと光クロスコネクト技術をベースとした各種パストンネリングサービスを顧客に対して提供する場合、次の２つの課題を解決する必要がある。
【０００８】
第一の課題は、各スイッチのインタフェース能力の問題である。図１０は、図９に示す光スイッチ５１のネットワークノードインタフェース（Ｎｅｔｗｏｒｋ−Ｎｏｄｅ  ＩＦ：ＮＮＩ）と、光スイッチ５１とパケットスイッチ５２との間のインターナルインタフェース（Ｉｎｔｅｒｎａｌ  ＩＦ  ）の状態を示す。ケース１は、ＮＮＩが光パスの接続に全ポート利用されている場合であり、光パスの増設が不可能な状態を示す。ただし、既設光パスを用いた電気パスの増設は可能である。ケース２は、Ｉｎｔｅｒｎａｌ  ＩＦ  が光パスの接続に全ポート利用されている場合であり、光パスの終端が不可能な状態を示す。
【０００９】
このケース２に示すように、光スイッチ５１のスイッチング能力に余裕があっても、光パスを終端するパケットスイッチ５２に入力しようとするインタフェース能力が使い切られている場合には、当該マルチレイヤルータに終端する光パスを設定することができない。
【００１０】
第二の課題は、各種ルーティング情報の扱いの問題である。図１１に示すように、マルチレイヤルータ５０を用いたネットワーク６１をユーザネットワーク６２に接続する場合、ネットワークのセキュリティを高めるために、ユーザ側には各ノードが他ノードに対して通知するネットワーク情報の一部またはすべてをフィルタリングする必要がある。このとき、ユーザＡが持つべき情報は、ネットワーク６１，６２の全情報ではなく、所有するＩＰルータ６３，６４，６５と、ＩＰルータ６３，６５間を接続する光パス６６およびＩＰルータ６４，６５間を接続する光パス６７である。すなわち、ユーザＡのサービス提供外地域に設置してあるルータの接続情報は、ユーザＡに対して通知することは望ましくない。
【００１１】
本発明は、上記の課題を解決してネットワーク制御の権限の一部をユーザに移管し、ＧＭＰＬＳと光クロスコネクト技術をベースとした各種パストンネリングサービスを顧客に対して提供することができるノード制御方法およびノード制御装置を提供することを目的とする。
【００１２】
【課題を解決するための手段】
本発明は、複数種類の終端インタフェースを有するノードで、終端インタフェースの状態を管理するルーティング処理機能部で行うノード制御方法において、ルーティング処理機能部は、自ノードのスイッチング能力に関する情報と終端インタフェース属性情報の少なくとも一方を他ノードに広告し、広告する情報にユーザごとに制限を加えるようにフィルタリングし、その情報をユーザごとに通知する処理を行う。
【００１３】
本発明は、複数種類の終端インタフェースを有するノードで、終端インタフェースの状態を管理するルーティング処理機能部を備えたノード制御装置において、ルーティング処理機能部は、隣接ノードから通知されるスイッチング能力に関する情報と終端インタフェース属性情報の少なくとも一方を受信する受信機能部と、受信した終端インタフェース属性情報に、自ノードの終端インタフェース属性情報を追加するフラッディング処理部と、フラッディング処理部に蓄積されたスイッチング能力に関する情報と終端インタフェース属性情報の少なくとも一方を、出力方路ごとにフィルタリングするフィルタリング処理部と、フィルタリングされたスイッチング能力に関する情報と終端インタフェース属性情報の少なくとも一方を隣接ノードに送信する送信機能部と、ユーザごとの情報制限に応じて前記フィルタリング処理部を制御するユーザポリシ制御機能部とを備える。
【００１４】
また、終端インタフェース属性情報に、ノードで終端可能な光パスのインタフェース種別情報およびインタフェース数情報を含むようにしてよい。
【００１５】
【発明の実施の形態】
（光通信ノードの第１の構成例）
図１は、本発明のノード制御装置を含む光通信ノードの第１の構成例を示す。
【００１６】
図において、光スイッチ部１０は、光パス単位のクロスコネクションを実現する光クロスコネクト１１、ＳＤＨ  ＶＣ−４単位のクロスコネクションを実現するディジタルクロスコネクト１２、Ｅｔｈｅｒ  スイッチ１３により構成される。
【００１７】
光クロスコネクト１１は、光パスをトランスペアレントにスイッチングする能力を有している。本構成では、１２８  ×１２８  の光スイッチに、ネットワーク側に４本（１ファイバ当たり１６波）、ユーザ側に１６本（１ファイバ当たり４波）のファイバリンクが接続されている。ディジタルクロスコネクト１２は、１０．７Ｇｂｉｔ／ｓ  ＯＴＮフォーマットの光パスを終端する能力を有するインタフェースを１０、１０Ｇｂｉｔ／ｓ  ＳＴＭ−６４を終端する能力を有するインタフェースを１０実装している。Ｅｔｈｅｒ  スイッチ１３は、１０Ｇｂｉｔ／ｓ  のＥｔｈｅｒ  ｏｖｅｒ  ＳＯＮＥＴインタフェースを１０実装している。
【００１８】
図２は、本発明のノード制御装置２０の構成例を示す。図において、ノード制御装置２０は、スイッチ制御ファームウェア１４を介して光スイッチ部１０と終端インタフェースの状態を管理し、光パスの設定・削除・切替・ルーティングを実現するルーティング処理機能部（ＯＳＰＦ／ＩＳ−ＩＳプロトコル処理機能）２１、光パス設定・削除シグナリングを行うパス設定管理機能部（ＲＳＶＰ−ＴＥ／ＣＲ−ＬＤＲプロトコル処理機能）２２、光ファイバおよび隣接ノードの障害監視を行う障害管理機能部（ＬＭＰ  プロトコル処理機能）２３、制御チャネルを収容するＩＰ処理部２４により構成される。
【００１９】
本発明は、ルーティング処理機能部（ＯＳＰＦ／ＩＳ−ＩＳプロトコル処理機能）２１を拡張するものである。ルーティング処理機能部２１は、隣接ノードからスイッチング能力に関する情報と終端ＩＦ属性情報を受信する受信機能部３１、この受信情報に自ノードの終端ＩＦ属性情報を追加するフラッディング処理部３２、フラッディング処理部３２に蓄積されたスイッチング能力に関する情報と終端ＩＦ属性情報を出力方路ごとにフィルタリングするフィルタリング処理部３３、フィルタリングされたスイッチング能力に関する情報と終端ＩＦ属性情報を隣接ノードに送信する送信機能部３４、フィルタリング処理部３３を制御するユーザポリシ制御機能部３５、リンク状態データベース３６を備え、リンク状態データベース３６に各スイッチのスイッチング能力と終端インタフェース能力を管理する終端ＩＦ管理データベース３７、およびチャネル管理データベース３８が接続される。
【００２０】
受信機能部３１とフラッディング処理部３２の動作により、各マルチレイヤルータのスイッチング能力のみならず、終端ＩＦ能力がネットワーク全体の各ノードでも明確になる。
【００２１】
（本発明のノード制御方法の実施形態）
図３は、受信機能部３１とフラッディング処理部３２の動作例を示す。ユーザＡが動的にＶＣ−４（１５５  Ｍｂｉｔ／ｓ  ）のパスをノード＃１−＃４間で設定する場合に、従来のノード制御装置では、ＶＣ−４パスをどのＯＴＮ光パスに収容させるかについて、ユーザＡが決定する権利を有していなかった。すなわち、ユーザＡに開放される通信キャリアネットワーク情報に制限が加えられ、ユーザＡの回線がどのノードに収容されるのか、例えばノード＃１およびノード＃４という情報さえも開放されていなかった。
【００２２】
一方、本実施形態では、受信機能部３１とフラッディング処理部３２の動作により、ノード＃２，＃３のような中継ノードにおけるスイッチング能力と終端インタフェース能力、各ノード間に設定される光パスの情報がユーザＡに対して明確に開放される。中継ノードの終端インタフェース能力は、その中継ノードの終端ＩＦ管理データベース３７から提供されており、各ノードのルーティング処理機能部２１のフラッディング処理部３２を介して通知される。したがって、ユーザＡの制御により、直接ノード＃２とノード＃３間に光パスを新設し、ノード＃１−＃２、ノード＃３−＃４の既設定の光パスも利用してＶＣ−４パスをこれら光パスに収容し、ノード＃１−＃４間に開通させることが可能になる。これにより、光パスの新設は、ノード＃２とノード＃３の間のみとなり、エンドツーエンドで広帯域のＯＴＮ光パスを設定する必要がなくなり、ネットワーク資源を有効に活用することができる。
【００２３】
また、中継ノードの終端インタフェース能力、スイッチング能力等のネットワーク情報は、フィルタリング処理を通じてユーザＡに通知されている。このフィルタリング処理部３３により、フラッディング処理部３２から通知されるネットワーク情報に制限が与えられ、当該ノードに接続されるユーザごとに制限する情報を変化させる。ユーザポリシ制御機能部３５は、ユーザごとにどのような情報制限を与えるかについてフィルタリング処理部３３に設定する機能をもつ。
【００２４】
図４に示す例は、ディジタルクロスコネクト１２が光パスを介して接続されているＳＤＨレイヤにおいて、ユーザＡに対して、ＶＣ−４パスの経路設定がユーザからの指定により行うことができるように、ＳＤＨリンク情報のすべてを提供している状態を示す。ここで、ユーザＡは、光プラットフォームサービスを提供している通信事業者と同一の事業者であるが、ＶＣ−４パスの専用線サービスを提供している別の事業部隊とする。同一事業者内のユーザに対しては、光プラットフォームサービスのネットワーク情報をすべて公開する。
【００２５】
図５に示す例は、光クロスコネクト１１がファイバリンクを介して接続されているファイバレイヤにおいて、ユーザＢがインターネットサービスプロバイダの場合を示す。ユーザＢは、あくまでも大容量専用線の提供を求めているだけの事業者であるが、ノード＃２，＃３，＃４，＃５の４拠点間で、光プラットフォームサービスの制御性を最大限に利用し、自身のネットワークのトラヒック状態を観察しながら、自在にネットワークトポロジを変化させる。このようなユーザＢに対しては、ノード＃２，＃３，＃４，＃５のインタフェース能力と、これらインタフェース間の接続の可否を通知する。この通知情報は、ノード＃２からユーザ側に通知される内容であり、それに含まれるコスト情報は、光プラットフォームサービス事業者で管理しているリンク情報から計算した接続コストである。
【００２６】
図６に示す例は、ディジタルクロスコネクト１２がＳＤＨリンクを介して接続されているＳＤＨレイヤにおいて、ユーザＣが通信事業者からみた純粋な顧客である大規模企業ユーザの場合を示す。ユーザＣは、あくまでも大容量仮想専用線の提供を求めているだけのユーザであり、ノード＃２，＃３，＃４の３拠点間で、Ｅｔｈｅｒ  パスを接続している。このようなユーザＣに対しては、光ネットワークの内部情報は一切公開しない。
【００２７】
このように、本発明によりサービスを提供しようとする顧客の要望に応じて、様々なレベルで光ネットワーク情報を提供することができる。また、従来のような固定的な専用回線の提供にとどまらず、光ネットワークリソースの一部を顧客に貸し出し、顧客自身の制御によりパスネットワーキングを実現することができる。
【００２８】
（光通信ノードの第２の構成例）
図７は、本発明のノード制御装置を含む光通信ノードの第２の構成例を示す。
【００２９】
図において、光スイッチ部１０は、波長バンドパス単位のクロスコネクションを実現する波長バンドクロスコネクト１５、光パス単位のクロスコネクションを実現する光クロスコネクト１６、ＳＤＨ  ＶＣ−４単位のクロスコネクションを実現するディジタルクロスコネクト１７により構成される。
【００３０】
波長バンドクロスコネクト１５は、波長バンドパスをトランスペアレントにスイッチングする能力を有している。本構成では、３２×３２の光スイッチに、ネットワーク側に４本（１ファイバ当たり８バンド）のファイバリンクが接続されている。また、１波長バンドあたりに４本の波長パスが収容されている。光クロスコネクト１６は、１０．７Ｇｂｉｔ／ｓ  ＯＴＮフォーマットの光パスを終端する能力を有するインタフェースを３２実装している。ディジタルクロスコネクト１７は、１０Ｇｂｉｔ／ｓ  のＳＯＮＥＴフレームを終端する能力を有するインタフェースを１６実装している。
【００３１】
ノード制御装置２０は、図２に示すように、ルーティング処理機能部（ＯＳＰＦ／ＩＳ−ＩＳプロトコル処理機能）２１、パス設定管理機能部（ＲＳＶＰ−ＴＥ／ＣＲ−ＬＤＲプロトコル処理機能）２２、障害管理機能部（ＬＭＰ  プロトコル処理機能）２３、ＩＰ処理部２４により構成される。ここで、ルーティング処理機能部２１のフラッディング処理部３２により他ノードに通知される終端ＩＦ属性情報の一例を図８に示す。ここでは、ＯＳＰＦプロトコルで広告される情報のフォーマットを示す。本ノードで終端可能な光パスのインタフェース種別（ＳＯＮＥＴ  ＯＣ−４８）、フレームフォーマット（ＳＯＮＥＴ  ＡＮＳＩ  Ｔ１．１０５  ）、インタフェース数（４本）、終端インタフェースの接続先（ＰＳＣ）が含まれている。
【００３２】
【発明の効果】
以上説明したように、本発明のノード制御方法およびノード制御装置は、すべての隣接ノードに対して同一の情報（自ノードのスイッチング能力に関する情報および終端インタフェース属性情報）を通知するのではなく、広告する情報にユーザごとに制限を加えるようにフィルタリングし、その情報をユーザごとに通知する。これにより、ネットワーク制御の権限を一部のユーザに移管することが可能になるとともに、ユーザごとに移管する制御範囲を変化させることができる。すなわち、通信事業者は、顧客に対して単なる専用回線の貸し出しにとどまらず、多様なサービスを提供することが可能になる。
【図面の簡単な説明】
【図１】本発明のノード制御装置を含む光通信ノードの第１の構成例を示す図。
【図２】本発明のノード制御装置２０の構成例を示す図。
【図３】受信機能部３１とフラッディング処理部３２の動作例を説明する図。
【図４】ユーザＡに公開するリンク情報を説明する図。
【図５】ユーザＢに公開するリンク情報を説明する図。
【図６】ユーザＣに公開するリンク情報を説明する図。
【図７】本発明のノード制御装置を含む光通信ノードの第２の構成例を示す図。
【図８】終端ＩＦ属性情報の一例を示す図。
【図９】マルチレイヤルータの構成例を示す図。
【図１０】光スイッチＩＦとパケットスイッチＩＦを示す図。
【図１１】ネットワークの全情報とユーザＡが持つべき情報を説明する図。
【符号の説明】
１０  光スイッチ部
１１，１６  光クロスコネクト
１２，１７  ディジタルクロスコネクト
１３  Ｅｔｈｅｒ  スイッチ
１４  スイッチ制御ファームフェア
１５  波長バンドクロスコネクト
２０  ノード制御装置
２１  ルーティング処理機能部
２２  パス設定管理機能部
２３  障害管理機能部
２４  ＩＰ処理部
３１  受信機能部
３２  フラッディング処理部
３３  フィルタリング処理部
３４  送信機能部
３５  ユーザポリシ制御機能部
３６  リンク状態データベース
３７  終端ＩＦ管理データベース
３８  チャネル管理データベース
５０  マルチレイヤルータ
５１  光スイッチ
５２  パケットスイッチ
５３  ノード制御装置
【図１】
2004180067.tif 000003
【図２】
2004180067.tif 000004
【図３】
2004180067.tif 000005
【図４】
2004180067.tif 000006
【図５】
2004180067.tif 000007
【図６】
2004180067.tif 000008
【図７】
2004180067.tif 000009
【図８】
2004180067.tif 000010
【図９】
2004180067.tif 000011
【図１０】
2004180067.tif 000012
【図１１】
2004180067.tif 000013